(57)【要約】【課題】電線群が引っ張られたり曲げられたりしたときに、電線群を固定する粘着テープの巻き付け位置がずれてしまうことや、電線群を固定する粘着テープが抜けてしまうことを抑制できるワイヤハーネス用プロテクタを提供する。【解決手段】複数の電線からなる電線群２０を収容し、かつ電線群２０が外方へ引き出されるプロテクタ本体３０と、プロテクタ本体３０の端部から電線群２０の引き出し方向に延びるとともに、電線群２０が粘着テープＴ１によってテープ巻き固定されるテープ固定片３２と、テープ固定片３２からプロテクタ本体３０側に向けてフック状に折り返された形状を有する突起部３３と、を備え、テープ固定片３２と突起部３３との間に、テープ固定片３２に貼付される粘着テープＴ１が入り込むよう構成している。【選択図】図１
2016032412.tif 000002
【特許請求の範囲】
【請求項１】
複数の電線からなる電線群を収容し、かつ前記電線群が外方へ引き出されるプロテクタ本体と、
前記プロテクタ本体から前記電線群の引き出し方向に延びるとともに、前記電線群が粘着テープによってテープ巻き固定されるテープ固定片と、
前記テープ固定片からプロテクタ本体側に向けてフック状に折り返された形状を有する突起部と、を備え、
前記テープ固定片と前記突起部との間に、前記テープ固定片に貼付される前記粘着テープが入り込むよう構成したことを特徴とするワイヤハーネス用プロテクタ。
【請求項２】
前記突起部は、テープ固定片に貼付される粘着テープの幅の半分以上を覆うよう形成されたことを特徴とする請求項１に記載のワイヤハーネス用プロテクタ。
【請求項３】
前記プロテクタ本体は、底面部および前記底面部の両縁部に連なって突出する一対の側面部を有する樋状に形成され、
前記テープ固定片は、前記底面部の端部に連なって前記電線群の引き出し方向に延びるよう形成されたことを特徴とする請求項１または請求項２に記載のワイヤハーネス用プロテクタ。
【発明の詳細な説明】
【技術分野】
【０００１】
本発明は、ワイヤハーネス用プロテクタに関する。
【背景技術】
【０００２】
従来、自動車に配索されるワイヤハーネスの構成要素である電線群を収容するワイヤハーネス用プロテクタが知られている（例えば、特許文献１参照）。図３は特許文献１に記載されたワイヤハーネス用プロテクタを示す。
【０００３】
図３において、ワイヤハーネス用プロテクタ１００は、ワイヤハーネスの構成要素である図示しない複数の電線からなる電線群を収容し、かつ電線群が外方へ引き出されるプロテクタ本体１０１と、プロテクタ本体１０１から電線群の引き出し方向に延びるとともに、電線群が図示しない粘着テープによってテープ巻き固定される電線群受部１０２と、電線群受部１０２の先端部に形成した鍔部１０３とを、有して構成されている。
【０００４】
電線群受部１０２に電線群をテープ巻き固定する粘着テープは、鍔部１０３により電線群受部１０２に対する巻き付け位置が定められるとともに、電線群受部１０２から抜けないようになっている。
【先行技術文献】
【特許文献】
【０００５】
【特許文献１】実開平６−２９２４号公報
【発明の概要】
【発明が解決しようとする課題】
【０００６】
しかしながら、上述したワイヤハーネス用プロテクタ１００は、電線群が引っ張られたり曲げられたりしたときに、粘着テープの伸びに起因して、電線群受部１０２に対する粘着テープの巻き付け位置がずれてしまうことや、あるいは電線群受部１０２から粘着テープが抜けてしまうことが懸念される。
【０００７】
本発明は、上述したような課題を解決するためになされたもので、電線群が引っ張られたり曲げられたりしたときに、電線群を固定する粘着テープの巻き付け位置がずれてしまうことや、電線群を固定する粘着テープが抜けてしまうことを抑制できるワイヤハーネス用プロテクタを提供することを目的とする。
【課題を解決するための手段】
【０００８】
本発明に係るワイヤハーネス用プロテクタは、上記目的を達成するため、複数の電線からなる電線群を収容し、かつ前記電線群が外方へ引き出されるプロテクタ本体と、前記プロテクタ本体から前記電線群の引き出し方向に延びるとともに、前記電線群が粘着テープによってテープ巻き固定されるテープ固定片と、前記テープ固定片からプロテクタ本体側に向けてフック状に折り返された形状を有する突起部と、を備え、前記テープ固定片と前記突起部との間に、前記テープ固定片に貼付される前記粘着テープが入り込むよう構成している。
【０００９】
この構成により、本発明に係るワイヤハーネス用プロテクタは、テープ固定片に電線群をテープ巻き固定する粘着テープがテープ固定片とフック状に折り返された突起部との間に入り込むため、電線群が引っ張られたり曲げられたりしたときに粘着テープに伸びが生じても、テープ固定片に対する粘着テープの巻き付け位置がずれてしまうことや、テープ固定片から粘着テープが抜けてしまうことを抑制できる。
【００１０】
上述した構成のワイヤハーネス用プロテクタにおいて、前記突起部は、テープ固定片に貼付される粘着テープのテープ幅の半分以上を覆うよう形成された構成であることが好ましい。
【００１１】
この構成により、本発明に係るワイヤハーネス用プロテクタは、テープ固定片に貼付される粘着テープのテープ幅の半分以上が突起部により覆われるため、電線群が引っ張られたり曲げられたりしたときに粘着テープに伸びが生じても、テープ固定片に対する粘着テープの巻き付け位置がずれてしまうことや、テープ固定片から粘着テープが抜けてしまうことをより効果的に抑制できる。
【００１２】
また、上述した構成のワイヤハーネス用プロテクタにおいて、前記プロテクタ本体は、底面部および前記底面部の両縁部に連なって突出する一対の側面部を有する樋状に形成され、前記テープ固定片は、前記底面部の端部に連なって前記電線群の引き出し方向に延びるよう形成された構成であることが好ましい。
【００１３】
この構成により、本発明に係るワイヤハーネス用プロテクタは、プロテクタ本体の底面部の端部に電線群がテープ巻き固定されるテープ固定片を電線群の引き出し方向に連なるよう形成していため、プロテクタ本体に収容される電線群をテープ固定片に安定した状態で固定することができる。
【発明の効果】
【００１４】
本発明によれば、電線群が引っ張られたり曲げられたりしたときに、電線群を固定する粘着テープの巻き付け位置がずれてしまうことや、電線群を固定する粘着テープが抜けてしまうことを抑制できるワイヤハーネス用プロテクタを提供することができる。
【図面の簡単な説明】
【００１５】
【図１】本発明の実施の形態に係るワイヤハーネス用プロテクタの部分縦端面図である。
【図２】本発明の実施の形態に係るワイヤハーネス用プロテクタに用いるプロテクタ本体の部分斜視図である。
【図３】従来のワイヤハーネス用プロテクタの部分斜視図である。
【発明を実施するための形態】
【００１６】
以下、本発明の実施の形態に係るワイヤハーネス用プロテクタについて、図面を参照して説明する。
【００１７】
図１に示すように、本実施の形態に係るワイヤハーネス用プロテクタ１０は、複数の電線２１からなる電線群２０を収容し、かつ電線群２０が外方へ引き出されるプロテクタ本体３０と、蓋部３１と、プロテクタ本体３０から電線群２０の引き出し方向に延びるとともに、電線群２０が粘着テープＴ１によってテープ巻き固定されるテープ固定片３２と、テープ固定片３２からプロテクタ本体３０側に向けてフック状に折り返された形状を有する突起部３３と、を備え、テープ固定片３２と突起部３３との間に、テープ固定片３２に貼付される粘着テープＴ１が入り込むよう構成されている。
【００１８】
電線群２０は、複数の電線２１を粘着テープＴ２により荒巻きして束ねたもので、自動車に搭載された電子機器を電気的に接続するようになっている。この電線群２０は、複数の電線２１をコルゲートチューブに内装したものでもよい。
【００１９】
プロテクタ本体３０は、図２に示すように、底面部３０ａおよび底面部３０ａの両縁部３０ａ１，３０ａ２に連なって突出した一対の側面部３０ｂ，３０ｃを有する樋状に形成されており、底面部３０ａおよび側面部３０ｂ，３０ｃにより囲まれる空間に電線群２０を収容するようになっている。底面部３０ａの幅Ｗ１は、側面部３０ｂ，３０ｃの高さＨ１よりも大きく設定されている。
【００２０】
蓋部３１は、一縁部にプロテクタ本体３０の一方の側面部３０ｂが図示しないヒンジ部を介して一体に形成されており、他縁部がプロテクタ本体３０の他方の側面部３０ｃに当接するまでヒンジ部を中心にプロテクタ本体３０に折り重ねられると、一対の側面部３０ｂ，３０ｃの間の開口部を覆って底面部３０ａに相対し、プロテクタ本体３０とともに、扁平な矩形断面を有する中空構造体を構成するようになっている。
【００２１】
また、蓋部３１は、他縁部にプロテクタ本体３０の他方の側面部３０ｃに図示しないフック部を有している。このフック部は、プロテクタ本体３０の他方の側面部３０ｃに形成された図示しない係止部に係合して、蓋部３１によりプロテクタ本体３０の側面部３０ｂ，３０ｃの間の開口部が覆われた状態に保持するようになっている。
【００２２】
テープ固定片３２は、プロテクタ本体３０から電線群２０の引き出し方向、すなわち、プロテクタ本体３０の底面部３０ａの端部３０ａ3に連なって電線群２０の軸線方向に延びるよう形成されており、電線群２０が粘着テープＴ１によってテープ巻き固定されるようになっている。テープ固定片３２の幅Ｗ２は、底面部３０ａの幅Ｗ１よりも小さく設定されている。
【００２３】
突起部３３は、テープ固定片３２の先端部からプロテクタ本体３０側に向けて折り返された形状を有しており、テープ固定片３２と突起部３３との間に、テープ固定片３２に貼付される粘着テープＴ１が入り込むよう構成されている。この突起部３３は、テープ固定片３２に貼付されるＴ１のテープ幅Ｗ３の半分以上を覆うよう形成されている。
【００２４】
突起部３３は、テープ固定片３２に相対する面３３ａとテープ固定片３２において粘着テープＴ１が貼付される側の面３２ａとの間隔が、例えば１ｍｍ程度となるよう設定されており、テープ固定片３２と突起部３３との間に０．１ｍｍ以下の厚みを有する粘着テープＴ１を、容易に、かつ確実に入り込ませることができるようになっている。
【００２５】
ワイヤハーネス用プロテクタ１０を構成するプロテクタ本体３０、蓋部３１、ヒンジ部、フック部、係止部、テープ固定片３２および突起部３３は、ポリプロピレン(ＰＰ)等の樹脂材料により一体成型されている。また、突起部３３には、成形型からワイヤハーネス用プロテクタ１０を取り出すための型抜き用の孔３３ｂが形成されている。
【００２６】
さらに、プロテクタ本体３０に電線群２０を収容し、テープ固定片３２に電線群２０を粘着テープＴ１によりテープ巻き固定した後、プロテクタ本体３０および蓋部３１は、蓋部３１がプロテクタ本体３０の側面部３０ｂ，３０ｃの間の開口部を覆うよう図示しない粘着テープにより固縛されるようになっている。
【００２７】
本実施の形態に係るワイヤハーネス用プロテクタ１０は、テープ固定片３２に電線群２０をテープ巻き固定する粘着テープＴ１がテープ固定片３２とフック状に折り返された突起部３３との間に入り込むため、電線群２０が引っ張られたり曲げられたりしたときに粘着テープＴ１に伸びが生じても、テープ固定片３２に対する粘着テープＴ１巻き付け位置がずれてしまうことや、テープ固定片３２から粘着テープＴ１が抜けてしまうことを抑制できる。
【００２８】
また、本実施の形態に係るワイヤハーネス用プロテクタ１０は、テープ固定片３２に貼付される粘着テープＴ１のテープ幅Ｗ３の半分以上が突起部３３により覆われるため、電線群２０が引っ張られたり曲げられたりしたときに粘着テープＴ１に伸びが生じても、テープ固定片３２に対する粘着テープＴ１の巻き付け位置がずれてしまうことや、テープ固定片３２から粘着テープＴ１が抜けてしまうことをより効果的に抑制できる。
【００２９】
また、本実施の形態に係るワイヤハーネス用プロテクタ１０は、プロテクタ本体３０の底面部３０ａの端部に電線群２０がテープ巻き固定されるテープ固定片３２を電線群２０の引き出し方向に連なるよう形成していため、プロテクタ本体３０に収容される電線群２０をテープ固定片３２に安定した状態で固定することができる。
【００３０】
上述したワイヤハーネス用プロテクタ１０は、プロテクタ本体３０の底面部３０ａの端部にテープ固定片３２を、電線群２０の引き出し方向に連なるよう形成しているが、プロテクタ本体３０の側面部３０ｂもしくは側面部３０ｂにテープ固定片を、電線群２０の引き出し方向に連なるよう形成した構成を採っても、本実施の形態と同様に、テープ固定片に対する粘着テープＴ１の巻き付け位置がずれてしまうことや、テープ固定片から粘着テープＴ１が抜けてしまうことを抑制できる。
【００３１】
以上説明したように、本発明にワイヤハーネス用プロテクタは、電線群を固定する粘着テープの巻き付け位置がずれてしまうことや、電線群を固定する粘着テープが抜けてしまうことを抑制できるという効果が得られるので、ワイヤハーネス用プロテクタ全般に有用である。
【符号の説明】
【００３２】
１０  ワイヤハーネス用プロテクタ
２０  電線群
３０  プロテクタ本体
３０ａ  底面部
３０ａ1，３０ａ2  両縁部
３０ａ3  端部
３０ｂ，３０ｃ  側面部
３１  蓋部
３２  テープ固定片
３３  突起部
Ｔ１  粘着テープ
Ｗ３  テープ幅
【図１】
2016032412.tif 000003
【図２】
2016032412.tif 000004
【図３】
2016032412.tif 000005